(57)【特許請求の範囲】
【請求項１】
複数系統の映像入力端子および音声入力端子と、
前記映像入力端子および音声入力端子の使用状態を検出する検出手段と、
前記映像入力端子からの信号を切り換える切換手段と、
前記音声入力端子からの信号を切り替えるモノラル／ステレオ選択切換手段と、
前記検出手段の出力により前記切換手段および前記モノラル／ステレオ選択切換手段を制御する演算手段とを備え、
前記映像入力端子は優先度が付与されており、
前記演算手段は、前記検出手段により使用が検出された映像入力端子のうち、前記優先度が高い映像入力端子からの信号およびその同系統の音声入力端子からの信号を出力するよう、前記切換手段および前記モノラル／ステレオ選択切換手段を制御し、
前記音声入力端子はＬ端子とＲ端子とからなり、
前記モノラル／ステレオ選択切換手段は、
前記Ｌ端子およびＲ端子の双方が使用されたとき、前記Ｌ端子およびＲ端子から入力された信号をそれぞれ出力するよう前記切換手段を制御し、前記Ｌ端子もしくはＲ端子のいずれか一方のみが使用されたとき、前記使用された端子からの信号を、前記Ｌ端子およびＲ端子の双方からの信号として出力するよう前記モノラル／ステレオ選択切換手段を制御することを特徴とする信号切換装置。
【発明の詳細な説明】
【０００１】
【発明の属する技術分野】
本発明は、ｎは正整数であってｎ系統の映像信号または音声信号の入力端子を有する映像機器または音声機器に使用される信号切換装置に関するものである。
【０００２】
【従来の技術】
映像機器または音声機器に使用されている外部機器の為の入力端子は、一般的に常時接続機器用として後面に、ビデオムービーなどの一時的接続用として前面に備えられている。信号切換装置はチューナーからの信号やこれらの入力端子からの信号の切換に使用されており、その入力系統数は増加している。
【０００３】
以下に従来の信号切換装置について図を用いて説明する。
従来の信号切換装置を図２に示す。図２は従来の信号切換装置の構成を示すブロック図である。ここでは、入力端子として８系統ある場合について説明する。図２において、１はチューナー、２は映像機器または音声機器の後面にある第１の入力端子群、３は映像機器または音声機器の前面にある第２の入力端子群、５はＹ／Ｃ分離手段、４１はコンポジット映像信号切換手段、４２は音声信号切換手段、４３はコンポーネント映像信号切換手段、６０は信号切換手段を制御する演算手段、７は操作手段である。
【０００４】
以上のように構成された従来の信号切換装置について、以下その動作について説明する。
【０００５】
まず、操作手段７において、どの入力信号を選択するかを決定する。図２の例では、チューナー１か、第１の入力端子群２か、第２の入力端子群３かの選択と、第１の入力端子群２または第２の入力端子群３を選択した場合にコンポーネント映像信号入力かコンポジット映像信号入力かの選択を行う。その選択信号は操作手段７の出力７１であり、演算手段６０の入力６０４０となる。演算手段６０では、送られてきた信号に基づいて制御信号を発生し、出力６０１０、出力６０２０、出力６０３０となし、コンポジット映像信号切換手段４１、音声信号切換手段４２、コンポーネント映像信号切換手段４３の各信号切換手段を制御する。以上の動作により、チューナー１、コンポーネント映像入力端子、コンポジット映像入力端子、音声入力端子で構成される映像機器または音声機器の後面にある第１の入力端子群２、映像機器または音声機器の前面にある第２の入力端子群３からの入力信号の選択が行われる。
【０００６】
【発明が解決しようとする課題】
しかしながら上記の従来の構成では、一時使用が多い前面入力では映像機器または音声機器の前面にある第２の入力端子群に接続しても、入力信号の選択は必ず操作手段７０で行わなければならないため、接続後すぐには使えないという問題点や、音声入力ではモノラル入力の場合、外部で分配するための接続ケーブルを用意しなければならないという問題点を有していた。
【０００７】
本発明は上記従来の問題点を解決するもので、入力端子の使用状況に応じて入力信号を選択する信号切換装置を提供することを目的とする。
【０００８】
【課題を解決するための手段】
この目的を達成するために本発明の信号切換装置は、ｎは正整数であってｎ系統の入力端子と、入力端子の使用状態を検出する検出手段と、入力端子からの信号を切り換える切換手段と、検出手段の出力により切換手段を制御する演算手段とを備えた構成を有している。
【０００９】
この構成によって、入力端子の使用状況に応じて入力信号を選択することができる。
【００１０】
【発明の実施の形態】
本発明の請求項１に記載の発明は、ｎは正整数であってｎ系統の入力端子と、入力端子の使用状態を検出する検出手段と、入力端子からの信号を切り換える切換手段と、検出手段の出力により切換手段を制御する演算手段とを備えたことを特徴とする信号切換装置であり、入力端子が使用されていることを検出し、この結果により演算を行って切換手段を制御することにより、入力端子の使用状況に応じて入力信号を選択することができるという作用を有する。
【００１１】
以下、本発明の実施の形態について、図１を用いて説明する。
（実施の形態１）
図１は本発明の実施の形態１における信号切換装置の構成を示すブロック図である。ここでは、入力端子として８系統ある場合について説明する。図１において、１はチューナー、２は映像機器または音声機器の後面にある第１の入力端子群、３は映像機器または音声機器の前面にある第２の入力端子群、５はＹ／Ｃ分離手段、６は信号切換手段を制御する演算手段、７は操作手段、４１はコンポジット映像信号切換手段、４２は音声信号切換手段、４３はコンポーネント映像信号切換手段、４４はモノラル／ステレオ選択切換手段（Ｌ）、４５はモノラル／ステレオ選択切換手段（Ｒ）、２０１は第１のコンポーネント映像入力端子、２０２は第１のコンポジット映像入力端子、２０３は第１の音声入力（Ｌ）端子、２０４は第１の音声入力（Ｒ）端子、２１４は第１のコンポーネント映像入力端子２０１にプラグが挿入された状態を機械的スイッチにより使用されていると検出する第１の検出手段、２１５は第１のコンポジット映像入力端子２０２にプラグが挿入された状態を機械的スイッチにより使用されていると検出する第２の検出手段、２１６は第１の音声入力（Ｌ）端子２０３にプラグが挿入された状態を機械的スイッチにより使用されていると検出する第３の検出手段、２１７は第１の音声入力（Ｒ）端子２０４の使用状況を検出するにプラグが挿入された状態を機械的スイッチにより使用されていると検出する第４の検出手段、３０１は第２のコンポーネント映像入力端子、３０２は第２のコンポジット映像入力端子、３０３は第２の音声入力（Ｌ）端子、３０４は第２の音声入力（Ｒ）端子、３１４は第２のコンポーネント映像入力端子３０１にプラグが挿入された状態を機械的スイッチにより使用されていると検出する第５の検出手段、３１５は第２のコンポジット映像入力端子３０２にプラグが挿入された状態を機械的スイッチにより使用されていると検出する第６の検出手段、３１６は第２の音声入力（Ｌ）端子３０３にプラグが挿入された状態を機械的スイッチにより使用されていると検出する第７の検出手段、３１７は第２の音声入力（Ｒ）端子３０４にプラグが挿入された状態を機械的スイッチにより使用されていると検出する第８の検出手段である。
【００１２】
以上のように構成された信号切換装置について、以下その動作を説明する。
まず、操作手段７からの指示で、チューナー１、または入力端子群を使用することを、演算手段６に伝える。演算手段６では入力端子の使用状態を、第１の検出手段２１４、第２の検出手段２１５、第３の検出手段２１６、第４の検出手段２１７、第５の検出手段３１４、第６の検出手段３１５、第７の検出手段３１６、第８の検出手段３１７より送られる入力６０５、入力６０６、入力６０７、入力６０８、入力６０９、入力６１０、入力６１１、入力６１２の状態に基づいて制御信号を発生し、出力６０１、出力６０２、出力６０３、出力６１３、出力６１４となし、コンポジット映像信号切換手段４１、音声信号切換手段４２、コンポーネント映像信号切換手段４３、モノラル／ステレオ選択切換手段（Ｌ）４４、モノラル／ステレオ選択切換手段（Ｒ）４５の各信号切換手段を制御する。
【００１３】
次に、入力端子の使用状況による演算手段６における判断とそれによる切換方法について説明する。
【００１４】
まず、入力端子が１系統（映像、音声（Ｌ）、音声（Ｒ））しか使われていない場合は、演算手段６は、これらを選択すべく演算を行うものとする。これにより、その入力端子を選択することができる。例えば、第１の入力端子群２のコンポーネント映像入力端子２０１と第１の音声入力（Ｌ）端子２０３と第１の音声入力（Ｒ）端子２０４が使用されている場合は、音声切換手段４２は入力４２２と入力４２５、コンポーネント映像信号切換手段４３は入力４３１と入力４３４、モノラル／ステレオ選択切換手段（Ｌ）４４、モノラル／ステレオ選択切換手段（Ｒ）４５はそれぞれ、入力４４１，入力４５２を選択し、映像入力、音声入力が選択される。
【００１５】
次に、入力端子が複数使用される場合は、使用機器によってさまざまな切換方法が考えられるが、例としてＶＴＲで使用する場合は、演算手段６は、第１に、前面端子を後面端子よりも優先する、第２に、映像ではコンポーネント端子をコンポジット端子よりも優先するとの規則に基づいた演算を行うものとする。従って、前面の第２のコンポーネント映像入力端子３０１、前面の第２のコンポジット映像入力端子３０２、後面の第１のコンポーネント映像入力端子２０１、後面の第１のコンポジット映像入力端子２０２の順に優先度を与えておく。第１の検出手段２１４、第２の検出手段２１５、第５の検出手段３１４、第６の検出手段３１５からの検出信号に基づいて演算手段６で上記優先度を用いて判断することにより、これらの入力端子が使用されれば信号が選択され、たとえ操作手段７で指示しなくても、前面入力を一時的な使用のために使い易くすることができる。
【００１６】
次に、音声入力がモノラル１系統しかない場合は、演算手段６は、音声ではＬ、Ｒ対の片方のみ使用されている場合はモノラルと判断するとの規則に基づいた演算を行うものとする。そこで第３の検出手段２１６、第４の検出手段２１７、第７の検出手段３１６、第８の検出手段３１７の何れか１個からのみ検出信号有りの場合について説明する。第１の音声入力端子（Ｌ）２０３のみあるいは第２の音声入力端子（Ｌ）３０３のみが使用された場合は、モノラル／ステレオ選択切換手段（Ｌ）４４は入力４４１を選択し、モノラル／ステレオ選択切換手段（Ｒ）４５は入力４５１を選択し、また、第１の音声入力端子（Ｒ）２０４のみあるいは第２の音声入力端子（Ｒ）３０４のみが使用された場合は、モノラル／ステレオ選択切換手段（Ｌ）４４は入力４４２を選択し、モノラル／ステレオ選択切換手段（Ｒ）４５は入力４５２を選択するようにする。これにより、音声入力のＬ及びＲに同じ音声信号を入力することができ、モノラル音声を得ることができる。
【００１７】
次に、入力端子が全く使用されていない場合は、演算手段６はチューナー１が使用されているものとの規則に基づいた演算を行うものとする。コンポジット映像信号切換手段４１では出力６０２により入力４１１が選択され、音声信号切換手段４２では出力６０１により入力４２１及び入力４２４が選択され、コンポーネント映像信号切換手段４３では出力６０３により入力４３３及び入力４３６が選択され、モノラル／ステレオ選択切換手段（Ｌ）４４では出力６１４により入力４４１が選択され、モノラル／ステレオ選択切換手段（Ｒ）４５では出力６１３により入力４５２が選択される。このようにして映像入力、音声入力にチューナー１出力を入力することができる。
【００１８】
以上のように本実施の形態によれば、各入力端子に端子の使用状態を検出する検出手段と、その検出手段からの検出結果を演算して各切換手段を制御する演算手段と、切換手段を設けることにより、入力端子の使用状態に応じて入力信号を選択することができる。例えば、ビデオムービーなどからの一時使用が多い前面入力では入力端子に接続してすぐに利用したり、音声入力ではモノラル入力の場合、外部で分配するための接続ケーブルを用意せずにＬ／Ｒどちらかの入力に接続すれば、Ｌ／Ｒとも同じ信号を入力することができる。
【００１９】
なお、上記説明における端子の検出手段としては、端子にプラグが挿入された状態を機械的スイッチにより使用されていると検出するものを用いたが、これ以外に、端子にプラグが挿入された状態を電気的インピーダンスの変化で検出したり、あるいは映像信号であれば同期信号の有無を検出するものでもよい。
【００２０】
なお、上記の説明で複数の入力端子が使用された場合の選択方法は、あくまで一例であり、使用する機器、端子の配置によって最適な優先方法を実装すればよい。
【００２１】
【発明の効果】
以上のように本発明は、入力端子が使用されていることを検出し、この結果により演算を行って切換手段を制御することにより、入力端子の使用状況に応じて入力信号を選択する信号切換装置を提供することができるという優れた効果が得られる。
【図面の簡単な説明】
【図１】本発明の実施の形態１における信号切換装置の構成を示すブロック図
【図２】従来の信号切換装置の構成を示すブロック図
【符号の説明】
２  第１の入力端子群
３  第２の入力端子群
６  演算手段
７  操作手段
４１  コンポジット映像信号切換手段
４２  音声信号切換手段
４３  コンポーネント映像信号切換手段
４４  モノラル／ステレオ選択切換手段（Ｌ）
４５  モノラル／ステレオ選択切換手段（Ｒ）
２０１  第１のコンポーネント映像入力端子
２０２  第１のコンポジット映像入力端子
２０３  第１の音声入力（Ｌ）端子
２０４  第１の音声入力（Ｒ）端子
２１４  第１の検出手段
２１５  第２の検出手段
２１６  第３の検出手段
２１７  第４の検出手段
３０１  第２のコンポーネント映像入力端子
３０２  第２のコンポジット映像入力端子
３０３  第２の音声入力（Ｌ）端子
３０４  第２の音声入力（Ｒ）端子
３１４  第５の検出手段
３１５  第６の検出手段
３１６  第７の検出手段
３１７  第８の検出手段
【図１】
0003661427.tif 000002
【図２】
0003661427.tif 000003